(57)【要約】【課題】取り外し可能な部品に摘まみ部を設けることが容易な電子機器を提供する。【解決手段】電子機器１は取り出しが可能なハードディスクアッセンブリ２と、ハードディスクアッセンブリ２に設けられ且つ互いに離れている２つの取付部２１ａ、２１ｂとを有している。摘まみ部材２９は２つの取付部２１ａ、２１ｂに取り付けられており、２つの取付部２１ａ、２１ｂの間の距離よりも長い柔軟性を有する。摘まみ部材２９はハードディスクアッセンブリ２から遠ざかる方向に膨らむように湾曲している湾曲部２９ａを有している。摘まみ部材２９は湾曲部２９ａの膨らみが小さくなるように弾性変形可能である。【選択図】  図４
2018018452.tif 000002
【特許請求の範囲】
【請求項１】
本体と、
前記本体に設けられている収容室と、
前記収容室に収容され且つ前記収容室から取り出しが可能な部品と、
前記部品に設けられ且つ互いに離れている２つの取付部と、
前記２つの取付部に取り付けられている摘まみ部材と、を有し、
前記摘まみ部材は前記２つの取付部の間の距離よりも長い柔軟性を有する部材であり、前記部品から遠ざかる方向に膨らむように湾曲している湾曲部を含み、前記湾曲部の膨らみが小さくなるように弾性変形可能である
ことを特徴とする電子機器。
【請求項２】
前記摘まみ部材の前記湾曲部は、前記湾曲部の前記膨らみが小さくなるように弾性変形した状態で前記電子機器に収納されている
ことを特徴とする請求項１に記載される電子機器。
【請求項３】
前記収容室を閉じるための部品カバーを有し、
前記摘まみ部材の前記湾曲部は前記部品カバーによって押され、前記湾曲部の前記膨らみが小さくなるように弾性変形した状態で前記部品カバーの内側に収納されている
ことを特徴とする請求項２に記載される電子機器。
【請求項４】
前記本体は前記収容室を露出させる開口が形成された外装部材を有し、
前記部品カバーは前記外装部材に取り付けられて、前記開口を閉じており、
前記部品カバーが前記本体の外装部材から取り外されたとき、前記摘まみ部材の前記湾曲部は前記外装部材よりも外側に膨らむ
ことを特徴とする請求項３に記載される電子機器。
【請求項５】
前記部品は壁部を有し、
前記２つの取付部は前記壁部の内面に設けられている
ことを特徴とする請求項１に記載される電子機器。
【請求項６】
前記部品は装置と、前記装置を保持し且つ前記壁部を有しているホルダーとを有し、
前記壁部は前記２つの取付部のうちの一方が設けられている第１の壁部と、前記２つの取付部のうちの一方が設けられている第２の壁部とを有し、
前記第１の壁部と前記第２の壁部との間で前記装置が露出している
ことを特徴とする請求項５に記載される電子機器。
【請求項７】
前記摘まみ部材の前記湾曲部は前記第１の壁部と前記第２の壁部との間で前記部品から遠ざかる方向に膨らんでいる
ことを特徴とする請求項６に記載される電子機器。
【請求項８】
ハードディスク装置を取り囲む壁部と、
前記壁部に設けられている、互いに離れている２つの取付部と、
前記２つの取付部に取り付けられている摘まみ部材と、を有し、
前記摘まみ部材は前記２つの取付部の間の距離よりも長い柔軟性を有する部材であり、前記ハードディスク装置から遠ざかる方向に膨らむように湾曲している湾曲部を含み、前記湾曲部の膨らみが小さくなるように弾性変形可能である
ことを特徴とするハードディスク装置のホルダー。
【発明の詳細な説明】
【技術分野】
【０００１】
本発明は、本体から取り外し可能な、ハードディスク装置などの部品を備える電子機器において、部品の取り外し作業を容易化するための技術に関する。
【背景技術】
【０００２】
ゲーム装置やパーソナルコンピュータなどの電子機器には、ユーザや作業者が交換可能な部品を備えるものがある。例えば、下記特許文献１の電子機器は、そのような部品の一例として、ハードディスク装置を有している。特許文献１の電子機器はハードディスク装置や回路基板などを収容するハウジングを有し、このハウジングにハードディスク装置を出し入れするための開口が形成されている。ハウジングには開口を閉じるカバーが取り付けられている。ハードディスク装置はホルダーによって保持されている。
【先行技術文献】
【特許文献】
【０００３】
【特許文献１】特開２０１０−２４４２１４号公報
【発明の概要】
【発明が解決しようとする課題】
【０００４】
作業者が指で摘まむための摘まみ部が取り外しが可能な部品に設けられていれば、取り外しの作業性を向上できる。ところが、電子機器には、取り外しが可能な部品の他にも、種々の部品が設けられている。そのため、他の部品との干渉を避けながら取り外し可能な部品に摘まみ部を設ける必要があり、摘まみ部の位置や形状を決めるのが難しい場合がある。
【０００５】
本開示の目的の一つは、取り外し可能な部品に摘まみ部を容易に設けることができる電子機器、及び摘まみ部を設けることが容易なハードディスク装置のホルダーを提供することにある。
【課題を解決するための手段】
【０００６】
上記課題を解決するための電子機器は、本体と、前記本体に設けられている収容室と、前記収容室に収容され且つ前記収容室から取り出しが可能な部品と、前記部品に設けられ且つ互いに離れている２つの取付部と、前記２つの取付部に取り付けられている摘まみ部材とを有している。前記摘まみ部材は前記２つの取付部の間の距離よりも長い柔軟性を有する部材であり、前記部品から遠ざかる方向に膨らむように湾曲している湾曲部を含み、前記湾曲部の膨らみが小さくなるように弾性変形可能である。この電子機器によれば、取り外し可能な部品に摘まみ部材を容易に設けることができる。
【０００７】
上記課題を解決するためのハードディスク装置のホルダーは、ハードディスク装置を取り囲む壁部と、前記壁部に設けられている、互いに離れている２つの取付部と、前記２つの取付部に取り付けられている摘まみ部材とを有している。前記摘まみ部材は前記２つの取付部の間の距離よりも長い柔軟性を有する部材であり、前記ハードディスク装置から遠ざかる方向に膨らむように湾曲している湾曲部を含み、前記湾曲部の膨らみが小さくなるように弾性変形可能である。これによって、摘まみ部材を容易にホルダーに設けることができる。
【図面の簡単な説明】
【０００８】
【図１】本発明の実施形態に係る電子機器の斜視図である。
【図２】電子機器の平面図である。
【図３】電子機器が有しているハードディスクアッセンブリと部品カバーとの位置関係を示す平面図である。
【図４】ハードディスクアッセンブリを構成するホルダーの斜視図である。
【発明を実施するための形態】
【０００９】
以下、本発明の一実施形態について説明する。図１は本発明の実施形態の一例である電子機器１の斜視図である。図２は電子機器１の平面図である。図３は取り外しが可能な部品と部品カバー７との位置関係を示す平面図である。電子機器１は、部品の一例として、ハードディスク装置３とホルダー２０とで構成されるハードディスクアッセンブリ２を有している。図４はホルダー２０の斜視図である。以下の説明においては、図１に示すＸ１、Ｘ２をそれぞれ右方向、左方向と称し、Ｙ１、Ｙ２をそれぞれ前方、後方と称し、Ｚ１、Ｚ２をそれぞれ上方、下方と称する。
【００１０】
電子機器１は、例えばゲーム装置やオーディオ・ビジュアル機器として機能するエンタテインメント装置である。電子機器１は、ゲームプログラムの実行により生成した動画像データや、光ディスクなどの記録媒体から取得した映像・音声データ及び／又はネットワークを通して取得した映像・音声データをテレビジョンなどの表示装置に出力する。電子機器１はゲーム装置などのエンタテインメント装置に限られず、パーソナルコンピュータでもよい。
【００１１】
図１に示すように、電子機器１は、電子機器１の外面を構成している外装部材Ａと、外装部材Ａに収容されている種々の部品を有している。電子機器１の例では、外装部材Ａには、回路基板４や、ハードディスクアッセンブリ２などが収容されている（図２参照）。ハードディスクアッセンブリ２はハードディスク装置３とハードディスク装置３を保持するホルダー２０とを有している。ハードディスク装置３は回路基板４に実装されているマイクロプロセッサ（不図示）で実行されるプログラムや、プログラムの実行において利用されるデータが格納されている。外装部材Ａは、例えば、回路基板４等の上側を覆う上カバー５と、回路基板４等の下側を覆う下カバー６とを有している。
【００１２】
電子機器１の本体にはハードディスクアッセンブリ２を収容する収容室が設けられている。本明細書において、電子機器１の「本体」とはハードディスクアッセンブリ２以外の部分である。電子機器１の例では、本体の下部に収容室が設けられている。下カバー６には収容室を露出させる開口（収容室の入り口）が形成されている。図１に示すように、下カバー６には開口を閉じるための部品カバー７が取り付けられている。電子機器１の例では、下カバー６は上方に開いた箱状であり、底部と、底部の左右の縁から立ち上がる側壁部６ａと、底部の後縁から立ち上がる後壁部６ｂとを有している。収容室を露出させるための開口は側壁部６ａ（より具体的には、左壁部）の後部に形成されている。したがって、電子機器１の例では、ハードディスクアッセンブリ２は、右方向へのスライドによって収容室に挿入され、左方向へのスライドによって収容室から取り出される。収容室の位置や、ハードディスクアッセンブリ２の挿入方向は、電子機器１の例に限られない。例えば、収容室は電子機器１の後方に開口してもよい。この場合、ハードディスクアッセンブリ２は前方へのスライドによって収容室に挿入される。
【００１３】
図２に示すように、電子機器１の例では、部品カバー７は略Ｌ字形状を有している。すなわち、部品カバー７は下カバー６に形成されている開口を閉じる第１板部７ａと、第１板部７ａの後端に接続し且つ下カバー６の後壁部６ｂの後側に取り付けられる第２板部７ｂとを有している。第２板部７ｂは下カバー６の後壁部６ｂに形成されている穴に引っ掛かる係合部７ｄ（図３参照）を有している。また、第１板部７ａは下カバー６の開口の縁に引っ掛かる係合部７ｃ（図３参照）を有している。部品カバー７の形状は、電子機器１の例に限られない。例えば、部品カバー７は第２板部７ｂを有していなくてもよい。
【００１４】
図２に示すように、回路基板４は、平面視において、ハードディスクアッセンブリ２の位置を避けた形状を有している。電子機器１の例では、回路基板４は矩形の角部が切り欠かれた形状を有している。ハードディスク装置３はその端部にコネクタ部３ａを有している。回路基板４には、ハードディスク装置３のコネクタ部３ａに接続するコネクタ４ａが実装されている。コネクタ４ａは回路基板４の縁に実装されている。コネクタ４ａは、ハードディスクアッセンブリ２の挿入方向（電子機器１の例では、右方向）における、収容室の奥部に位置している。したがって、ハードディスクアッセンブリ２を回路基板４に沿った方向にスライドさせて収容室に挿入することによって、ハードディスク装置３のコネクタ部３ａは自動的にコネクタ４ａに接続する。
【００１５】
上述したように、ハードディスクアッセンブリ２はホルダー２０を有している。図４に示すように、ホルダー２０は上方に開いた箱状である。すなわち、ホルダー２０は底部２４と、ハードディスクアッセンブリ２の挿入方向における後側に位置する後壁部２１と、挿入方向における前側に位置している前壁部２２とを有している。また、ホルダー２０は、挿入方向に伸びており且つ互いに向き合っている側壁部２３Ａ、２３Ｂとを有している。ハードディスク装置３は、側壁部２３Ａに取り付けられているダンパー２３ａ（図３参照）と、側壁部２３Ｂに取り付けられているダンパー２３ａ（図３参照）とによって挟まれている。ホルダー２０は金属によって形成されている。
【００１６】
図４に示すように、ハードディスクアッセンブリ２には摘まみ部材２９が設けられている。摘まみ部材２９はテープ状或いはワイヤー状の部材である。電子機器１の例では、摘まみ部材２９はテープ状である。すなわち、摘まみ部材２９は厚さよりも大きな幅（電子機器１の例では、上下方向での幅）を有する部材である。摘まみ部材２９は円形や四角形の断面を有するワイヤー状でもよい。
【００１７】
摘まみ部材２９はホルダー２０に取り付けられている。具体的には、図４に示すように、ホルダー２０に互いに離れて位置する２つの取付部２１ａ、２１ｂが設けられ、摘まみ部材２９は取付部２１ａ、２１ｂに取り付けられている。摘まみ部材２９は２つの取付部２１ａ、２１ｂの距離（２つの取付部２１ａ、２１ｂを結ぶ直線の長さ）よりも長い柔軟性を有する部材である。そのため、摘まみ部材２９は湾曲した状態で取付部２１ａ、２１ｂに取り付けられている。ここで柔軟性とは、摘まみ部材２９に力が作用したときに撓むことができる性質を意味する。
【００１８】
図４に示すように、摘まみ部材２９は２つの取付部２１ａ、２１ｂの間に、ハードディスクアッセンブリ２から離れる方向に膨らむように湾曲している湾曲部２９ａを有している。言い換えれば、摘まみ部材２９の湾曲部２９ａはハードディスクアッセンブリ２の挿入方向とは反対方向（電子機器１の例では左方向）に膨らむように湾曲している。湾曲部２９ａはハードディスクアッセンブリ２の挿入方向に開口した略Ｕ字形状を有している。湾曲部２９ａはハードディスクアッセンブリ２から離れる方向への膨らみが小さくなるように弾性変形可能である。すなわち、湾曲部２９ａは挿入方向とは反対方向への膨らみが小さくなるように弾性変形可能である。そのため、電子機器１が有する他の部品・部材が湾曲部２９ａに当たった場合でも、湾曲部２９ａが弾性変形するので、ハードディスクアッセンブリ２に摘まみ部材２９を設けることが容易となる。このように弾性変形可能な摘まみ部材２９は、例えばポリエチレンテレフタラート（ＰＥＴ）などのプラスチックで形成される。摘まみ部材２９は薄い金属でもよい。
【００１９】
上述したように、電子機器１は、下カバー６に取り付けられて収容室の開口を閉じる部品カバー７を有している。図３は収容室の開口を閉じている部品カバー７とハードディスクアッセンブリ２との位置関係を示している。この図に示すように、摘まみ部材２９の湾曲部２９ａは、湾曲部２９ａの膨らみ（ハードディスクアッセンブリ２の挿入方向とは反対方向（左方向）への膨らみ）が小さくなるように弾性変形した状態で電子機器１に収納されている。すなわち、摘まみ部材２９の湾曲部２９ａは部品カバー７によって押されて、湾曲部２９ａの膨らみが小さくなるように弾性変形した状態で部品カバー７の内側に収納されている。部品カバー７は湾曲部２９ａの弾性力に抗して下カバー６に取り付けられている。そのため、図２に示すように、部品カバー７を下カバー６から取り外すと、湾曲部２９ａはその弾性力によってハードディスクアッセンブリ２から離れる方向に膨らむ。すなわち、湾曲部２９ａはその弾性力によってハードディスクアッセンブリ２の挿入方向とは反対方向に膨らみ、初期の形状（図４で示す形状）に復帰する。
【００２０】
図２に示すように、部品カバー７が外装部材Ａから取り外されたとき、すなわち下カバー６から取り外されたとき、摘まみ部材２９の湾曲部２９ａは外装部材Ａよりも外側に膨らむ。電子機器１の例では、ハードディスク装置３のコネクタ部３ａが回路基板４のコネクタ４ａに接続されている状態で、すなわちハードディスク装置３が適正な位置にある状態で部品カバー７が下カバー６から取り外されたとき、湾曲部２９ａは下カバー６よりも外側に膨らむ。詳細には、電子機器１の平面視において、湾曲部２９ａの少なくとも頂部Ｐは下カバー６の側壁部６ａよりも外側（左側）に位置する。この構造によれば、作業者は部品カバー７を取り外したとき、湾曲部２９ａに容易にアクセスできるので、ハードディスクアッセンブリ２の取り出しの作業性を向上できる。
【００２１】
図４に示すように、電子機器１の例では、取付部２１ａ、２１ｂはホルダー２０の後壁部２１に設けられている。詳細には、取付部２１ａ、２１ｂは後壁部２１の内面に設けられ、摘まみ部材２９の両端部は後壁部２１の内面に沿って配置されている。後壁部２１は上述したようにハードディスクアッセンブリ２の挿入方向における後側に位置する壁部である。後壁部２１の内面に設ける取付部２１ａ、２１ｂによると、摘まみ部材２９を利用してハードディスクアッセンブリ２を収容室から引き出すとき、取付部２１ａ、２１ｂから摘まみ部材２９に作用する力は後壁部２１に沿った方向の力となる。一方、例えば摘まみ部材２９が後壁部２１の外面に設けられた取付部に取り付けられる場合には、取付部から摘まみ部材２９に作用する力が後壁部２１に対して垂直な力となる。そのため、取付部２１ａ、２１ｂを後壁部２１の内面に設ける構造では、取付部２１ａ、２１ｂを後壁部２１の外面に設ける構造に比べて、摘まみ部材２９を引っ張る力に対する摘まみ部材２９の強度を向上できる。なお、取付部２１ａ、２１ｂの位置は、電子機器１の例に限られない。例えば、２つの取付部２１ａ、２１ｂはホルダー２０の側壁部２３Ａ、２３Ｂにそれぞれ設けられてもよい。この場合、取付部２１ａ、２１ｂは側壁部２３Ａ、２３Ｂの外面に設けられてもよい。
【００２２】
摘まみ部材２９は、例えばかしめ加工によって取付部２１ａ、２１ｂに取り付けられる。すなわち、取付部２１ａ、２１ｂは筒状に形成され、摘まみ部材２９に穴が形成される。摘まみ部材２９の穴に取付部２１ａ、２１ｂが嵌められる。そして、筒状の取付部２１ａ、２１ｂの端部をフランジ状に変形させて、摘まみ部材２９を取付部２１ａ、２１ｂに固定する。摘まみ部材２９の取り付け構造は電子機器１の例に限られない。例えば、摘まみ部材２９は螺子やボルトなどの固定具によってホルダー２０に取り付けられてもよい。
【００２３】
図４に示すように、電子機器１の例では、ホルダー２０の後壁部２１は第１壁部２１Ａと第２壁部２１Ｂとを含んでいる。第１壁部２１Ａと第２壁部２１Ｂはハードディスクアッセンブリ２の挿入方向に対して直交する方向（電子機器１の例では、前後方向）において互いに離れている。２つの取付部２１ａ、２１ｂは第１壁部２１Ａと第２壁部２１Ｂとにそれぞれ設けられている。摘まみ部材２９は、２つの取付部２１ａ、２１ｂから第１壁部２１Ａと第２壁部２１Ｂの内側に向かって伸びている。摘まみ部材２９の湾曲部２９ａは第１壁部２１Ａと第２壁部２１Ｂとの間に位置し、ハードディスクアッセンブリ２の挿入方向とは反対方向、すなわちハードディスク装置３から離れる方向に膨らんでいる。
【００２４】
図４に示すように、後壁部２１の第１壁部２１Ａと第２壁部２１Ｂは互いに離れている。そのため、ハードディスク装置３は第１壁部２１Ａと第２壁部２１Ｂの間において、挿入方向とは反対方向に露出している。ホルダー２０の後壁部２１のこの構造によると、作業者はハードディスクアッセンブリ２を電子機器１の収容室に挿入するとき、ハードディスク装置３を直接的に押すことができる。その結果、ハードディスク装置３のコネクタ部３ａを回路基板４のコネクタ４ａにスムーズに接続できる。なお、ホルダー２０の構造は、電子機器１の例に限られない。例えば、後壁部２１は互いに離れている第１壁部２１Ａと第２壁部２１Ｂを有していなくてもよい。言い換えれば、第１壁部２１Ａと第２壁部２１Ｂは互いに繋がっていてもよい。この場合、摘まみ部材２９は取付部２１ａ、２１ｂから後壁部２１の上縁を超えて、ハードディスクアッセンブリ２の挿入方向とは反対方向に伸びてもよい。
【００２５】
図４に示すように、ホルダー２０の第１壁部２１Ａと第２壁部２１Ｂは、側壁部２３Ａ、２３Ｂにそれぞれ接続されている。すなわち、第１壁部２１Ａと第２壁部２１Ｂのそれぞれは、それらの端部に屈曲部２１ｃを有している。屈曲部２１ｃは側壁部２３Ａ、２３Ｂに固定されている。この構造によると、摘まみ部材２９をハードディスクアッセンブリ２の挿入方向とは反対方向に引っ張ったときに、第１壁部２１Ａと第２壁部２１Ｂが撓むことを抑えることができる。
【００２６】
以上説明したように、電子機器１はその本体に設けられている収容室と、収容室に収容され且つ収容室から取り出しが可能な部品（具体的には、ハードディスクアッセンブリ２）と、この部品に設けられ且つ互いに離れている２つの取付部２１ａ、２１ｂと、２つの取付部２１ａ、２１ｂに取り付けられており、２つの取付部２１ａ、２１ｂの間の距離よりも長い柔軟性を有する摘まみ部材２９とを有している。摘まみ部材２９は部品から遠ざかる方向に膨らむように湾曲している湾曲部２９ａを有している。摘まみ部材２９は、湾曲部２９ａの膨らみが小さくなるように弾性変形可能である。この構造によると、電子機器１が有する他の部品・部材が湾曲部２９ａに当たった場合でも、湾曲部２９ａが弾性変形する。その結果、取り外しが可能な部品に摘まみ部材２９を設けることが容易となる。
【００２７】
また、ホルダー２０は、ハードディスク装置３を取り囲む壁部２１、２２、２３と、壁部２１に設けられている、互いに離れている２つの取付部２１ａ、２１ｂと、２つの取付部２１ａ、２１ｂに取り付けられており、２つの取付部２１ａ、２１ｂの間の距離よりも長い柔軟性を有する摘まみ部材２９とを有している。摘まみ部材２９はハードディスク装置３から遠ざかる方向に膨らむように湾曲している湾曲部２９ａを有している。摘まみ部材２９は、湾曲部２９ａの膨らみが小さくなるように弾性変形可能である。この構造によると、ホルダー２０に摘まみ部材２９を設けることが容易となる。
【００２８】
本発明は以上説明した電子機器１及びホルダー２０に限られず、種々の変更がなされてよい。
【００２９】
例えば、電子機器１の本体から取り外し可能な部品は、必ずしもハードディスクアッセンブリ２に限られない。例えば、電子機器１が携帯端末である場合、電子機器１の本体から取り外し可能な部品としてバッテリを有してもよい。この場合、バッテリに板状の部材、例えばバッテリを取り囲むホルダーが取り付けられ、このホルダーに摘まみ部材２９が取り付けられてもよい。
【００３０】
また、電子機器１は本体から取り外し可能な部品として、光ディスクドライブを有してもよい。例えば、電子機器１はラックを有する筐体を有し、ラックに光ディスクドライブが挿入可能であってもよい。この場合、摘まみ部材２９はこの光ディスクドライブに設けられてもよい。摘まみ部材２９は光ディスクドライブの挿入方向における後側に取り付けられてもよいし、光ディスクドライブの側面に取り付けられてもよい。
【００３１】
また、電子機器１はテレビジョンでもよい。テレビジョンは比較的大きなハウジングを有している。したがって、電子機器１がテレビジョンのように比較的大きなハウジングを有している場合、摘まみ部材２９は湾曲部２９ａが膨らんでいる状態で電子機器１に収納されてもよい。すなわち、摘まみ部材２９は、湾曲部２９ａの膨らみが小さくなるようには弾性変形していない状態で、電子機器１に収納されてもよい。
【００３２】
また、電子機器１は部品カバー７を有していなくてもよい。摘まみ部材２９の湾曲部２９ａは電子機器１のハウジングによって押されて弾性変形している状態で、ハウジングに収容されてもよい。
【００３３】
また、摘まみ部材２９が取り付けられる部材（電子機器１の例ではホルダー２０）はプラスチックによって形成されてもよい。この場合、摘まみ部材２９はプラスチックに設けられている２つの取付部２１ａ、２１ｂに溶着されてもよい。
【符号の説明】
【００３４】
１  電子機器、２  ハードディスクアッセンブリ、３  ハードディスク装置、３ａ  コネクタ部、４  回路基板、４ａ  コネクタ、５  上カバー、６  下カバー、６ａ  側壁部、６ｂ  後壁部、７  部品カバー、７ａ  第１板部、７ｂ  第２板部、７ｃ  係合部、７ｄ  係合部、Ａ  外装部材、２０  ホルダー、２１  後壁部、２１ａ  取付部、２１ｃ  屈曲部、２２  前壁部、２３Ａ  側壁部、２３Ｂ  側壁部、２３ａ  ダンパー、２４  底部、２９  摘まみ部材、２９ａ  湾曲部。
【図１】
2018018452.tif 000003
【図２】
2018018452.tif 000004
【図３】
2018018452.tif 000005
【図４】
2018018452.tif 000006